【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
下部および上部を有し、
第一の誘電体層（1126）；
該第一の誘電体層上の第一の疎水性層；
第一の面および第二の面を有するトッププレート（1117）；
該トッププレートの該第一の面上の接地電極；
該接地電極を被覆する、該トッププレートの該第一の面上の第二の疎水性層；
該第一の疎水性層と該第二の疎水性層とを離隔する空隙（1121）；
該トッププレートの該第二の面上にある、第一の試料コンパートメント（1403）および第二の試料コンパートメント（1405）；
該第一の試料コンパートメントと該空隙との間の第一の開口および該第二の試料コンパートメントと該空隙との間の第二の開口であって、該第一および第二の開口は、約1cm以下の範囲内で互いに隣接し、該第一の開口は、第一のマイクロ流体チャネル（615、1143）を含み、該第二の開口は、第二のマイクロ流体チャネル（616、1145）を含み、該第一および第二のマイクロ流体チャネルは、該トッププレート中に形成される、第一および第二の開口；
該第一の試料コンパートメントと連通した、第一のポンプ接続のための第一の入口（1411）；ならびに
該第二の試料コンパートメントと連通した、第二のポンプ接続のための第二の入口（1411'）
を含む、
デジタルマイクロ流体工学（DMF）装置のためのカートリッジ。
【請求項２】
第一の誘電体層が、第一の面および第二の面を有する誘電体材料のシートを含み、該第一の面が、カートリッジの下部の露出した下面を形成しており、第一の疎水性層が該第二の面上にある、請求項1記載のカートリッジ。
【請求項３】
誘電体材料のシートが可撓性である、請求項2記載のカートリッジ。
【請求項４】
カートリッジの下部が誘電体材料のシートの第一の面によって形成されている、請求項2記載のカートリッジ。
【請求項５】
第一の疎水性層と第二の疎水性層とを離隔する空隙が、500マイクロメートルを超える離隔距離を含む、請求項1記載のカートリッジ。
【請求項６】
第一および第二の試料コンパートメントがトッププレート中に形成されている、請求項1記載のカートリッジ。
【請求項７】
第一および第二の試料コンパートメントがトッププレートの第二の面に沿って延びている、請求項1記載のカートリッジ。
【請求項８】
第一の試料コンパートメントを被覆するトップカバーをさらに含み、第一の入口が該トップカバーに結合されている、請求項1記載のカートリッジ。
【請求項９】
第一および第二の試料コンパートメントがそれぞれ1mlを超える流体を収容するように構成されている、または、第一および第二の試料コンパートメントがそれぞれ25mLまでの流体を収容するように構成されている、請求項1記載のカートリッジ。
【請求項１０】
トッププレートがアクリル樹脂材料を含む、請求項1記載のカートリッジ。
【請求項１１】
トッププレートの第二の面上に1つまたは複数の試薬リザーバをさらに含む、請求項1記載のカートリッジ。
【請求項１２】
トッププレートの第二の面上に1つまたは複数の凍結乾燥試薬リザーバをさらに含む、請求項1記載のカートリッジ。
【請求項１３】
DMF装置から取り外すことが可能である、請求項1記載のカートリッジ。
【請求項１４】
カートリッジの下部は、空隙内の小滴の動きをアクティブ化するための複数の電極を含む、DMF装置の再使用可能な表面に取り付けられるように設計された、単一の誘電体材料を含む、請求項1記載のカートリッジ。
【請求項１５】
デジタルマイクロ流体工学（DMF）装置のためのカートリッジの空隙に、流体のアリコートを送る方法であって、
該カートリッジは、下部および上部および該下部と該上部との間の該空隙を含み、
該方法は、
該カートリッジの該下部を、該DMF装置の再使用可能な表面に取り付ける工程であって、該再使用可能な表面は、該空隙内の小滴の動きをアクティブ化するための複数の電極を含む、前記工程と、
該流体のアリコートを、該カートリッジの該上部から、1つまたは複数の穴を介して小出しする工程と
を含む、該方法。
【手続補正２】
【補正対象書類名】明細書
【補正対象項目名】００４２
【補正方法】変更
【補正の内容】
【００４２】
カートリッジは、トッププレートの第二の面上に1つまたは複数の試薬リザーバを含み得る。たとえば、カートリッジは、トッププレートの第二の面上に1つまたは複数の凍結乾燥試薬リザーバを含み得る。
［本発明１００１］
下部および上部を有し、
第一の誘電体層；
第一の誘電体層上の第一の疎水性層；
第一の面および第二の面を有するトッププレート；
該トッププレートの第一の面上の接地電極；
該接地電極を被覆する、該トッププレートの該第一の面上の第二の疎水性層；
該第一の疎水性層と該第二の疎水性層とを離隔する空隙；
該トッププレートの該第二の面上にある、第一の試料コンパートメントおよび第二の試料コンパートメント；
該第一の試料コンパートメントと該空隙との間の第一の開口および該第二の試料コンパートメントと該空隙との間の第二の開口であって、約2cm以下の範囲内で互いに隣接する、第一および第二の開口；
該第一の試料コンパートメントと連通した、第一のポンプ接続のための第一の入口；ならびに
該第二の試料コンパートメントと連通した、第二のポンプ接続のための第二の入口
を含む、
デジタルマイクロ流体工学（DMF）装置のためのカートリッジ。
［本発明１００２］
第一の誘電体層が、第一の面および第二の面を有する誘電体材料のシートを含み、該第一の面が、カートリッジの下部の露出した下面を形成しており、第一の疎水性層が該第二の面上にある、本発明1001のカートリッジ。
［本発明１００３］
誘電体材料のシートが可撓性である、本発明1002のカートリッジ。
［本発明１００４］
カートリッジの下部が誘電体材料のシートの第一の面によって形成されている、本発明1002のカートリッジ。
［本発明１００５］
第一の疎水性層と第二の疎水性層とを離隔する空隙が、500マイクロメートルを超える離隔距離を含む、本発明1001のカートリッジ。
［本発明１００６］
第一および第二の試料コンパートメントがトッププレート中に形成されている、本発明1001のカートリッジ。
［本発明１００７］
第一および第二の試料コンパートメントがトッププレートの第二の面に沿って延びている、本発明1001のカートリッジ。
［本発明１００８］
第一の試料コンパートメントを被覆するトップカバーをさらに含み、第一の入口が該トップカバーに結合されている、本発明1001のカートリッジ。
［本発明１００９］
第一の試料コンパートメントと空隙との間の第一の開口が第一のマイクロ流体工学チャネルを含み、第二の試料コンパートメントと該空隙との間の第二の開口が第二のマイクロ流体工学チャネルを含む、本発明1001のカートリッジ。
［本発明１０１０］
第一および第二の試料コンパートメントがそれぞれ1mlを超える流体を収容するように構成されている、本発明1001のカートリッジ。
［本発明１０１１］
第一および第二の試料コンパートメントがそれぞれ25mLまでの流体を収容するように構成されている、本発明1001のカートリッジ。
［本発明１０１２］
トッププレートがアクリル樹脂材料を含む、本発明1001のカートリッジ。
［本発明１０１３］
トッププレートの第二の面上に1つまたは複数の試薬リザーバをさらに含む、本発明1001のカートリッジ。
［本発明１０１４］
トッププレートの第二の面上に1つまたは複数の凍結乾燥試薬リザーバをさらに含む、本発明1001のカートリッジ。
［本発明１０１５］
下部および上部を有し、
第一の面および第二の面を有する誘電体材料のシートであって、該第一の面は、カートリッジの該下部の露出した下面を形成している、誘電体材料のシート；
該誘電体材料のシートの該第二の面上の第一の疎水性層；
第一の面および第二の面を有するトッププレート；
該トッププレートの第一の面上の接地電極；
該接地電極を覆う、該トッププレートの該第一の面上の第二の疎水性層；
該第一の疎水性層と該第二の疎水性層とを離隔する、500マイクロメートルを超える離隔距離を含む空隙；
該トッププレートの該第二の面上にある、第一の試料コンパートメントおよび第二の試料コンパートメント；
該第一の試料コンパートメントと該空隙との間の第一の開口および該第二の試料コンパートメントと該空隙との間の第二の開口であって、約2cmの範囲内で互いに隣接する、第一および第二の開口；
該第一の試料コンパートメントと連通した、第一のポンプ接続のための第一の入口；ならびに
該第二の試料コンパートメントと連通した、第二のポンプ接続のための第二の入口
を含む、
デジタルマイクロ流体工学（DMF）装置のためのカートリッジ。
［本発明１０１６］
下部および上部を有し、
下部誘電体層；
第一の面および第二の面を有するトッププレート；
該トッププレートの第一の面上の接地電極；
該下部誘電体層と該接地電極との間の空隙；
該トッププレートの該第二の面上にある、第一の試料コンパートメントおよび第二の試料コンパートメント；
該第一の試料コンパートメントと該空隙との間の第一の開口および該第二の試料コンパートメントと該空隙との間の第二の開口であって、約2cm以下の範囲内で互いに隣接する、第一および第二の開口；
該第一の試料コンパートメントと連通した、第一のポンプ接続のための第一の入口；ならびに
該第二の試料コンパートメントと連通した、第二のポンプ接続のための第二の入口
を含む、
デジタルマイクロ流体工学（DMF）装置のためのカートリッジ。
［本発明１０１７］
デジタルマイクロ流体工学（DMF）装置のための流体適用・抽出インタフェースデバイスであって、
該デバイスが直立状態に保持されるとき廃棄物チャンバの上方に延びる試料入口を含む流体トラップを含む、廃棄物リザーバ；
該デバイスが直立状態に保持されるとき該試料入口の上方で該廃棄物リザーバを貫通する開口；および
該廃棄物リザーバを貫通して延びる移送導管であって、流体が該移送導管から該廃棄物リザーバの中へと進み該廃棄物チャンバ内に閉じ込められ得るように、該試料入口が該試料入口の基端で該移送導管へ通じている、移送導管
を含み、
該移送導管が、該移送導管の末端で該DMF装置に結合するように構成されている、
デバイス。
［本発明１０１８］
デジタルマイクロ流体工学装置のための流体適用・抽出インタフェースデバイスであって、
該デバイスが直立状態に保持されるとき廃棄物チャンバの上方に延びる試料入口を含む流体トラップを含む、廃棄物リザーバ；
該デバイスが直立状態に保持されるとき該試料入口の上方で該廃棄物リザーバを貫通する開口；
該開口に結合されたコネクタ導管；および
該廃棄物リザーバを貫通して延びる移送導管であって、流体が該移送導管から該廃棄物リザーバの中へと進み該廃棄物チャンバ内に閉じ込められ得るように、該試料入口が該試料入口の基端で該移送導管へ通じている、移送導管
を含み、
該移送導管が、該移送導管の末端で該デジタルマイクロ流体工学装置に結合するように構成されており、該移送導管が該廃棄物リザーバと該移送導管の該末端との間で2回以上折り返している、
デバイス。
［本発明１０１９］
移送導管と結合するように構成された、DMF装置上の連結器をさらに含む、本発明1017または1018のデバイス。
［本発明１０２０］
移送導管が廃棄物リザーバと該移送導管の末端との間で2回以上折り返している、本発明1017のデバイス。
［本発明１０２１］
移送導管が廃棄物リザーバと該移送導管の末端との間に1つまたは複数のループを含む、本発明1017または1018のデバイス。
［本発明１０２２］
試料入口の上方で廃棄物リザーバを貫通する開口に結合されたコネクタ導管をさらに含む、本発明1017のデバイス。
［本発明１０２３］
移送導管中に正圧または負圧を選択的に加えるためにコネクタ導管または該移送導管のいずれかに結合された制御可能な圧力源をさらに含む、本発明1017または1018のデバイス。
［本発明１０２４］
移送導管中に正圧または負圧を選択的に加えるためにコネクタ導管または該移送導管のいずれかに結合された蠕動ポンプをさらに含む、本発明1017または1018のデバイス。
［本発明１０２５］
廃棄物リザーバが、0.5ml〜50mlの容積を有するチューブを含む、本発明1017または1018のデバイス。
［本発明１０２６］
廃棄物チャンバの容積が0.4〜50mlである、本発明1017または1018のデバイス。
［本発明１０２７］
移送導管が廃棄物リザーバの底部を貫通して延びている、本発明1017または1018のデバイス。
［本発明１０２８］
移送導管の内径が約0.5mm ID〜5mmである、本発明1017または1018のデバイス。
［本発明１０２９］
移送導管が管を含む、本発明1017または1018のデバイス。
［本発明１０３０］
大きな試料量を取り扱うように構成されたデジタルマイクロ流体工学（DMF）装置であって、デバイスが、
第一の疎水性層を有する第一のプレート；
第二の疎水性層を有する第二のプレート；
該第一の疎水性層と該第二の疎水性層との間に形成された間隙であって、該第一のプレートと該第二のプレートとの間の距離は1mm以上である、間隙；
該第一の疎水性層に隣接した第一の平面中に配置された複数の作動電極；
流体を該間隙の中に適用するまたは取り出すように構成された流体適用・抽出インタフェースデバイスであって、
廃棄物チャンバの上方に延びる試料入口を含む流体トラップを含む、廃棄物リザーバ；
該試料入口の上方で該廃棄物リザーバを貫通する開口；および
該廃棄物リザーバを貫通して延びる移送導管であって、流体が該移送導管から該廃棄物リザーバの中へと進み該廃棄物チャンバ内に閉じ込められ得るように、該試料入口が該試料入口の基端で該移送導管へ通じている、移送導管
を含み、
該移送導管の末端が、該第一のプレート上、該第二のプレート上、または該第一のプレートと該第二のプレートとの間のうちの1つにある開口に結合されている、
流体適用・抽出インタフェースデバイス
を含む、装置。
［本発明１０３１］
移送導管が廃棄物リザーバと該移送導管の末端との間で2回以上折り返している、本発明1030の装置。
［本発明１０３２］
移送導管が廃棄物リザーバと該移送導管の末端との間に1つまたは複数のループを含む、本発明1030の装置。
［本発明１０３３］
試料入口の上方で廃棄物リザーバを貫通する開口に結合されたコネクタ導管をさらに含む、本発明1030の装置。
［本発明１０３４］
移送導管中に正圧または負圧を選択的に加えるための制御可能な圧力源をさらに含み、該制御可能な圧力源が、試料入口の上方で廃棄物リザーバを貫通する開口に接続されたコネクタ導管、または該移送導管のいずれかに結合されている、本発明1030の装置。
［本発明１０３５］
移送導管中に正圧または負圧を選択的に加えるように構成された蠕動ポンプをさらに含む、本発明1030の装置。
［本発明１０３６］
廃棄物リザーバが、0.4ml〜50mlの容積を有するチューブを含む、本発明1030の装置。
［本発明１０３７］
廃棄物チャンバの容積が0.4〜50mlである、本発明1030の装置。
［本発明１０３８］
移送導管が廃棄物リザーバの底部を貫通して延びている、本発明1030の装置。
［本発明１０３９］
移送導管の内径が約0.5mm ID〜5mmである、本発明1030の装置。
［本発明１０４０］
移送導管が管を含む、本発明1030の装置。
［本発明１０４１］
デジタルマイクロ流体（DMF）装置から大量の流体を選択的に取り出す方法であって、
該DMF装置の第一のプレートと第二のプレートとの間で流体を流体抽出領域に移動させる工程であって、該第一のプレートおよび該第二のプレートは1mm以上の第一の間隙によって離隔されており、該第一のプレートは複数の作動電極を含む、工程；
該流体抽出領域に結合された、該DMF装置の該第一のプレートと該第二のプレートとの間の移送導管または該DMF装置の該第一のプレートもしくは該第二のプレートを貫通する開口への移送導管に、負圧を加える工程；
該流体の全部または一部分を抜き取って該移送導管に入れ、2回以上折り返す反転経路に沿って該移送導管中を通過させ、流体トラップの試料入口から出し、該試料入口の下方の廃棄物チャンバに入れる工程；および
該複数の作動電極のサブセットにエネルギーを供給して、小滴を、該第一の間隙の間から、1mm未満である距離によって離隔されている該第一のプレートと第二のプレートとの間の第二の間隙へと移動させる工程
を含む、方法。
［本発明１０４２］
第一の疎水性層を有する第一のプレート；
第二の疎水性層を有する第二のプレート；
第三の疎水性層を有する第三のプレート；
該第一の疎水性層と該第二の疎水性層との間に形成された、1mm以下である第一の空隙；
該第一の疎水性層と該第二の疎水性層との間に形成された、1mmを超える第二の空隙であって、該第一および第二の空隙は連続的であり、該第二および第三のプレートは互いに重なっている、第二の空隙；
該第一の空隙から該第二の空隙まで延びている、該第一の疎水性層に隣接する複数の作動電極；および
該第一第二の空隙中の流体抽出領域
を含む、エアマトリックスデジタルマイクロ流体（DMF）装置。